(57)【要約】【課題】落下等の外力や衝撃から梱包収容物を守り、梱包収容物を安全に輸送、保管することを可能とする梱包箱の提供を目的とする。【解決手段】  梱包箱１は、箱本体２の上面の開口部３を４つの蓋体４で覆うようにして梱包を行い、梱包収容物５を内部に収容することを可能とする。梱包箱１は、蓋体４を含む箱本体２、一対の側部緩衝体６、一対の側部緩衝体７、上下部緩衝体８とで構成され、これらはいずれも紙製のものとされる。箱本体２の各内側面にはそれぞれ側部緩衝体６，７が当接され、その内方に配設される梱包収容物５を周囲より囲繞するように箱本体２の対応する内側面にそれぞれ配設される。箱本体２内において、梱包収容物５は上下にそれぞれ上下部緩衝体８が配設されるようにしている。【選択図】  図１
0003171529.tif 000002
【実用新案登録請求の範囲】
【請求項１】
上面に開口部を備え、全体直方体あるいは立方体からなり、４つの側面部と１つの底面部を備えた紙製からなる有底の箱本体と、箱本体の上面の開口部を閉塞する紙製からなる蓋体と、を備え、箱本体の内部に梱包収容物を収容可能とする梱包箱において、
箱本体の４つの各内側面にそれぞれ当接され、その内方に配設される梱包収容物を周囲より囲繞するように箱本体の対応する内側面にそれぞれ配設される全体紙製からなる直方体あるいは立方体形状からなる側部緩衝体と、
箱本体内において４つの各内側面にそれぞれ側部緩衝体が配設された状態において、その内方に配設される梱包収容物の上方および下方にそれぞれ配設される全体紙製からなる平面方形状の面材とされ、梱包収容物に対して上方または下方において接し、一対の側辺部に、接する梱包収容物と反対方向に角度９０度で折り返した折り返し片を備えることとし、折り返し片が形成された部分と異なる他の一対の側辺部をそれぞれ箱本体内に配設される上記側部緩衝体と当接可能な当接辺部としてなる紙製面材と、上記紙製面材に対し、梱包収容物と接する面部と反対側の面部において紙製面材の各折り返し片と交差する状態に配設され、上記紙製面材に対して連結される全体紙製で平面長方形状の長尺片材であり、一対の長手方向の側辺部に、連結する紙製面材に向けて角度９０度で折り返した折り返し片を備える全体コ字形状とし、折り返し片が形成された部分と異なる他の一対の側辺部を箱本体内に配設される上記側部緩衝体とそれぞれ当接可能な当接辺部としてなる複数の紙製片材と、を角度９０度に折り返し、相互に衝合するように当接する紙製面材の折り返し片と、紙製片材の折り返し片の当接部位にそれぞれ切れ込みを形成し、該切れ込み同士を相互に咬合するようにして連結して組み立てられる上下部緩衝体と、
を備えることを特徴とする梱包箱。
【請求項２】
上記上下部緩衝体の紙製面材は、連結する各紙製片材の長手方向において全体長方形あるいは正方形状の複数枚の面材の１つの側辺部同士を衝合するように連接して形成し、連接され各面材の連接方向最外方にそれぞれ位置された各側辺部に上記梱包収容物と反対方向に角度９０度で折り返した折り返し片を備えることとし、さらに連接する複数枚の面材の衝合する各側辺部についても梱包収容物と反対方向に角度９０度で折り返した折り返し片を備えることとし、各折り返し片と、紙製片材の折り返し片の当接部位にそれぞれ切れ込みを形成し、該切れ込み同士を相互に咬合するようにして紙製面材と紙製片材を連結して組み立てることとしてなる請求項１に記載の梱包箱。
【請求項３】
上下部緩衝体において、紙製面材の側部緩衝体と当接可能な当接辺部は、紙製面材と連結する紙製片材の連結部分よりも側部緩衝体に向け、外方に突出されるようにし、紙製片材の側部緩衝体と当接可能な当接辺部は、紙製片材と連結する紙製面材の連結部分よりも側部緩衝体に向け、外方に突出されるように、角度９０度に折り返し、相互に衝合するように当接する紙製面材の折り返し片と、紙製片材の折り返し片の当接部位にそれぞれ切れ込みを形成するようにしてなる請求項１に記載の梱包箱。
【請求項４】
各側部緩衝体は、紙製の面材を直方体あるいは立方体形状となるように曲折して形成され、全体直方体あるいは立方体形状に曲折された面材の内部に１または２以上の紙製積層材を配設するようにして形成した請求項１に記載の梱包箱。
【請求項５】
上記蓋体は、箱本体の上面の開口部に対して開閉可能となるよう箱本体に一体に取着するものとされる請求項１に記載の梱包箱。
【考案の詳細な説明】
【技術分野】
【０００１】
本考案は、内部に梱包収容物を収容する状態で梱包し、梱包収容物を輸送または保管するための梱包箱に関する。
【背景技術】
【０００２】
内部に梱包収容物を収容する状態で梱包する梱包箱については、従来から様々なタイプのものが存在し、例えば高重量で精密な製品からなる機械製品、電子機器類に関しては、輸送中に生じる振動や衝撃から収容物を守るため、専用の大きさからなる木箱が用いられていた。すなわち、木箱からなる梱包箱は、一般に内部に機械、機器類としての収容物を収容する有底木製の箱本体と、箱本体の上部開口を閉塞する木製の蓋体により構成される。こうした梱包箱においては、箱本体の内部に梱包収容物を収容し、箱本体の上部開口を釘打ち等の方法で蓋体で閉塞し、梱包収容物を梱包していた。
【０００３】
この種の梱包箱においては、さらにトラックの荷台への積載時や輸送中に生じる振動や衝撃から収容物を保護するため、箱本体の内部において梱包収容物と箱本体の内壁間、あるいは収容物と蓋体の内面間に様々な形状からなる緩衝体を介装させるようにしていた。
【０００４】
このような全体木製からなる梱包箱は、輸送中や積載時に万一落下してしまったり、外力が加わったとしても壊れにくく、梱包収容物を安全に輸送できる利点があるものの、一方で輸出入の際に検疫のためにくん蒸処理が要求される等の不利な点もあり、出願人としては安全に高重量からなり、精密な収容物を梱包することができ、輸出入の際にくん蒸などが必要なく、全体軽量でとり扱い易い紙製の梱包箱の開発を行っていたところである。
【０００５】
特に出願人らは、輸送中や荷台等への積載の際に、梱包箱に衝撃や外力が加わった場合、影響を受け易い精密機器を、安全に収容し、輸送等が行える梱包箱を開発すべく試行錯誤を行ってきたところである。
【０００６】
そうした中、出願人は下記特許文献１や２のように、梱包収容物を箱の内部において周囲を緩衝体により被包する状態で収容し、輸送中や積載時に外力が加わったり、万一梱包箱を落下した場合においても、梱包収容物に影響を与えることがなく、安全に輸送等を行うことを可能とする梱包箱の開発を行った。
【先行技術文献】
【特許文献】
【０００７】
【特許文献１】特開２０００−３１８７６４号公報
【特許文献２】特開２００４−１９６３７４号公報
【考案の概要】
【考案が解決しようとする課題】
【０００８】
本考案は、こうした開発過程の中でなされたものであり、落下等の外力や衝撃などから梱包収容物を守り、梱包収容物を安全に輸送、保管することを可能とする梱包箱の提供を目的としている。
【課題を解決するための手段】
【０００９】
上記目的を達成するため、本考案の請求項１は、上面に開口部を備え、全体直方体あるいは立方体からなり、４つの側面部と１つの底面部を備えた紙製からなる有底の箱本体と、箱本体の上面の開口部を閉塞する紙製からなる蓋体と、を備え、箱本体の内部に梱包収容物を収容可能とする梱包箱において、箱本体の４つの各内側面にそれぞれ当接され、その内方に配設される梱包収容物を周囲より囲繞するように箱本体の対応する内側面にそれぞれ配設される全体紙製からなる直方体あるいは立方体形状からなる側部緩衝体と、箱本体内において４つの各内側面にそれぞれ側部緩衝体が配設された状態において、その内方に配設される梱包収容物の上方および下方にそれぞれ配設される全体紙製からなる平面方形状の面材とされ、梱包収容物に対して上方または下方において接し、一対の側辺部に、接する梱包収容物と反対方向に角度９０度で折り返した折り返し片を備えることとし、折り返し片が形成された部分と異なる他の一対の側辺部をそれぞれ箱本体内に配設される上記側部緩衝体と当接可能な当接辺部としてなる紙製面材と、上記紙製面材に対し、梱包収容物と接する面部と反対側の面部において紙製面材の各折り返し片と交差する状態に配設され、上記紙製面材に対して連結される全体紙製で平面長方形状の長尺片材であり、一対の長手方向の側辺部に、連結する紙製面材に向けて角度９０度で折り返した折り返し片を備える全体コ字形状とし、折り返し片が形成された部分と異なる他の一対の側辺部を箱本体内に配設される上記側部緩衝体とそれぞれ当接可能な当接辺部としてなる複数の紙製片材と、を角度９０度に折り返し、相互に衝合するように当接する紙製面材の折り返し片と、紙製片材の折り返し片の当接部位にそれぞれ切れ込みを形成し、該切れ込み同士を相互に咬合するようにして連結して組み立てられる上下部緩衝体と、を備えるようにしている。
【００１０】
また本考案の請求項２は、上下部緩衝体の紙製面材を、連結する各紙製片材の長手方向において全体長方形あるいは正方形状の複数枚の面材の１つの側辺部同士を衝合するように連接して形成し、連接され各面材の連接方向最外方にそれぞれ位置された各側辺部に上記梱包収容物と反対方向に角度９０度で折り返した折り返し片を備えることとし、さらに連接する複数枚の面材の衝合する各側辺部についても梱包収容物と反対方向に角度９０度で折り返した折り返し片を備えることとし、各折り返し片と、紙製片材の折り返し片の当接部位にそれぞれ切れ込みを形成し、該切れ込み同士を相互に咬合するようにして紙製面材と紙製片材を連結して組み立てることとしてなる請求項１に記載の梱包箱としている。
【００１１】
また本考案の請求項３は、上下部緩衝体において、紙製面材の側部緩衝体と当接可能な当接辺部は、紙製面材と連結する紙製片材の連結部分よりも側部緩衝体に向け、外方に突出されるようにし、紙製片材の側部緩衝体と当接可能な当接辺部は、紙製片材と連結する紙製面材の連結部分よりも側部緩衝体に向け、外方に突出されるように、角度９０度に折り返し、相互に衝合するように当接する紙製面材の折り返し片と、紙製片材の折り返し片の当接部位にそれぞれ切れ込みを形成するようにしてなる請求項１に記載の梱包箱としている。
【００１２】
また本考案の請求項４は、各側部緩衝体を、紙製の面材を直方体あるいは立方体形状となるように曲折して形成し、全体直方体あるいは立方体形状に曲折された面材の内部に１または２以上の紙製積層材を配設するようにして形成した請求項１に記載の梱包箱としている。
【００１３】
さらに本考案の請求項５は、上記蓋体を、箱本体の上面の開口部に対して開閉可能となるよう箱本体に一体に取着するものとされる請求項１に記載の梱包箱としている。
【考案の効果】
【００１４】
本考案によれば、箱本体の内部に収容される梱包収容物は、先ず箱本体内において４つの各内側面にそれぞれ側部緩衝体により周囲より囲繞するように収容されることとなる。さらに箱本体の内部に収容される梱包収容物は、その上方および下方に配設される全体紙製からなる平面方形状の面材からなる上下部緩衝体の間に位置決めすることが可能となり、上下並びに側周部をそれぞれの緩衝体に包まれるように梱包することが可能となる。ここで各上下部緩衝体は、梱包収容物に対して上方または下方において接し、一対の側辺部に、接する梱包収容物と反対方向に角度９０度で折り返した折り返し片を備えることとし、折り返し片が形成された部分と異なる他の一対の側辺部をそれぞれ箱本体内に配設される上記側部緩衝体と当接可能な当接辺部としてなる紙製面材と、上記紙製面材に対し、梱包収容物と接する面部と反対側の面部において紙製面材の各折り返し片と交差する状態に配設され、上記紙製面材に対して連結される全体紙製で平面長方形状の長尺片材であり、一対の長手方向の側辺部に、連結する紙製面材に向けて角度９０度で折り返した折り返し片を備える全体コ字形状とし、折り返し片が形成された部分と異なる他の一対の側辺部を箱本体内に配設される上記側部緩衝体とそれぞれ当接可能な当接辺部としてなる複数の紙製片材と、を角度９０度に折り返し、相互に衝合するように当接する紙製面材の折り返し片と、紙製片材の折り返し片の当接部位にそれぞれ切れ込みを形成し、該切れ込み同士を相互に咬合するようにして連結して立体形状に組み立てられることとなり、輸送中に上下方向の振動が梱包収容物に加わった状態においても立体形状に組み立てられた各上下部緩衝体により該振動を吸収させることが可能となる。さらに梱包箱に対して側方方向の振動が加わった状態においても梱包収容物をその上下位置でそれぞれ位置決めするように支持する上下部緩衝体は、紙製面材の当接辺部が対応する側部緩衝体と当接し、また紙製片材の当接辺部が対応する側部緩衝体と当接することとなり、この部分で振動を吸収させることが可能となる。また、万一梱包箱が落下し、梱包箱に外力や衝撃が加わった状態でも、同様に上下部緩衝体が、紙製面材の当接辺部が対応する側部緩衝体と当接し、また紙製片材の当接辺部が対応する側部緩衝体と当接することとなり、この部分で衝撃等を吸収させることが可能となるため、梱包収容物に対する影響を極力小さくすることができる。しかも梱包箱を構成する構成材のうち、箱本体、蓋体、側部緩衝体、上下部緩衝体のそれぞれは、全体が軽量で、検疫の際にくん蒸等の処理が不要な紙製のものとされる。この結果、振動や落下等の外力や衝撃などから梱包収容物を守り、梱包収容物を安全に輸送、保管することを可能とする梱包箱の提供が可能となる。
【図面の簡単な説明】
【００１５】
【図１】本考案の実施形態に係る梱包箱の各構成部材を示す斜視図である。の内部に梱包収容物を収容させた状態を示す斜視図である。
【図２】梱包箱の内部に梱包収容物を収容させ、その上方に上下部緩衝体を配設する状態を示す斜視図である。
【図３】上下部緩衝体の組み立て状態を示す斜視図である。
【図４】一の側部緩衝体の組み立て状態を示す斜視図である。
【図５】他の側部緩衝体の組み立て状態を示す斜視図である。
【図６】図２のＶI−ＶI線に沿い、内部に梱包収容物を収容し、梱包した状態の梱包箱の断面図である。
【図７】図２のＶII−ＶII線に沿い、内部に梱包収容物を収容し、梱包した状態の梱包箱の断面図である。
【考案を実施するための形態】
【００１６】
以下、本考案の実施形態に係る梱包箱を、図１ないし図７に基づいて説明する。梱包箱１は図１に示すように全体扁平な直方体形状の外観を備え、紙製の段ボール材からなる箱本体２の上面に平面長方形状からなる開口部３を備える。箱本体２の上面の開口部３は、矢印θ方向に開閉可能となるよう箱本体２に一体に取着する４つの蓋体４により閉塞可能とされる。すなわち、各蓋体４は箱本体２の４つの上辺部にそれぞれ取着され、内部の中心に梱包収容物５を収容可能としている。
【００１７】
すなわち、梱包箱１は、箱本体２の上面の開口部３を４つの蓋体４で覆うようにして梱包を行い、必要に応じて各蓋体４同士を紙テープ等で閉じるようにして、梱包収容物５を内部に収容することを可能とするものである。こうして梱包収容物５の梱包が行われた梱包箱１は、図１に示すようにパレット２０上に積載され、フォークリフト等の産業車両により、パレット２０ごとトラックの荷台等に積載し、輸送することが可能とされ、さらに倉庫等に保管することが可能となる。
【００１８】
実施形態に係る梱包箱１は、図１に示すように蓋体４を含む箱本体１、箱本体２の長手方向（Ｘ方向）に沿って、その長手方向を対応させてなる一対の側部緩衝体蓋体６（図４に示す一の側部緩衝体）と、箱本体２の長手方向と交差する方向（Ｙ方向）に沿って、その長手方向を対応させてなる一対の側部緩衝体蓋体７（図５に示す他の側部緩衝体）と、梱包収容物５の上下それぞれの位置に配設される２つの上下部緩衝体８のそれぞれを備えて構成される。
【００１９】
箱本体２は、上面に開口部３を備え、全体直方体からなる。すなわち箱本体２は、上記のように箱本体２に一体に取着する４つの蓋体４を備えるとともに、４つの側面部２Ａ〜２Ｄと１つの底面部２Ｅを備えた有底のものとされ、蓋体４を含む全体を紙製の段ボール材で形成される。
【００２０】
箱本体２の内部には、図２に示すように箱本体２の４つの各側面部２Ａ〜２Ｄの内側面にそれぞれ当接され、その内方に配設される梱包収容物５を周囲より囲繞するように箱本体２の対応する内側面にそれぞれ配設される全体紙製からなる直方体形状からなる側部緩衝体６，７が収容可能とされる。側部緩衝体のうち、箱本体２の長手方向（Ｘ方向）に沿って、その長手方向を対応させるようにして収容される一対の側部緩衝体６は、図４に示すように紙製の面材６ａを直方体形状となるように曲折して形成し、全体直方体形状に曲折された面材６ａの内部の長手方向に所定間隔をもって３つの紙製積層材６ｂを配設するようにしている。立体形状の紙製積層材６ｂは、その一面を面材６ａの内部に貼着するようにして一体化される。側部緩衝体のうち、箱本体２の長手方向と交差する方向（Ｙ方向）に沿って、その長手方向を対応させてなる一対の側部緩衝体７は、図５に示すように紙製の面材７ａを直方体形状となるように曲折して形成し、全体直方体形状に曲折された面材７ａの内部の長手方向に所定間隔をもって３つの紙製積層材７ｂを配設するようにしている。立体形状の紙製積層材７ｂは、その一面を面材７ａの内部に貼着するようにして一体化される。
【００２１】
箱本体２内において、４つの各側面部２Ａ〜２Ｄの内側面にそれぞれ対応する側部緩衝体６，７が配設される状態（図２，図６，図７参照）において、その内方に配設される梱包収容物５の上方および下方には、それぞれ同じ形態からなり、相互に天地逆になる状態で位置決めされる上下部緩衝体８が配設される。上下部緩衝体８は、図１に示すように全体直方体からなる立体形状のものとされ、全体紙製で面状をなすものとされる。
【００２２】
図１に示す各上下部緩衝体８は、図３に示す各部材を連結して組み立てることにより形成されるものとされ、全体紙製からなる平面方形状の紙製面材９と、３つの紙製片材１０を相互に連結して構成される。紙製面材９は、梱包収容物５に対して上方または下方において接し、箱本体２の長手方向（Ｘ方向）と交差する方向（Ｙ方向）に沿う一対の側辺部に、接する梱包収容物５と反対方向に角度９０度で折り返した折り返し片１１ａ，１１ｂを備えることとし、折り返し片１１ａ，１１ｂが形成された部分と異なる長手方向（Ｘ方向）に沿う他の一対の側辺部を、それぞれ箱本体２内に配設される対応する側部緩衝体６と当接可能な当接辺部１２ａ，１２ｂとしてなる。
【００２３】
一方、紙製面材９に対し、梱包収容物５と接する面部と反対側の面部においては、紙製面材９の各折り返し片１１ａ，１１ｂの長手方向（Ｘ方向）と交差する状態で各紙製片材１０が配設され、各紙製片材１０はそれぞれ紙製面材９に対して連結される。各紙製片材１０は、全体紙製で平面長方形状の長尺片材であり、一対の長手方向（Ｘ方向）に沿う側辺部に、連結する紙製面材９に向けて角度９０度で折り返した折り返し片１３ａ，１３ｂを備える全体コ字形状としている。紙製片材１０の折り返し片１３ａ，１３ｂが形成された部分と異なる長手方向（Ｘ方向）と交差する方向（Ｙ方向）に沿う他の一対の側辺部には、箱本体２内に配設される対応する側部緩衝体７とそれぞれ当接可能な当接辺部１４ａ，１４ｂが備えられる。
【００２４】
なお、実施形態において紙製面材９は、連結する３つの紙製片材１０の長手方向（Ｘ方向）において、全体長方形状の２枚の面材９Ａ、９Ｂの隣接する１つの側辺部同士を衝合するように連接して形成され、該連接される各面材９Ａ、９Ｂの連接方向最外方にそれぞれ位置される各側辺部に、梱包収容物５と反対方向に角度９０度で折り返した折り返し片１１ａ，１１ｂを備えることとしている。さらに連接する２枚の面材９Ａ、９Ｂの衝合する各側辺部についても、梱包収容物５と反対方向に角度９０度で折り返した折り返し片１１ｃ，１１ｄを備えることとしている。
【００２５】
こうして形成される紙製面材９（実際には９Ａ、９Ｂ）と３つの各紙製片材１０との連結は、紙製片材１０の長手方向を（Ｘ方向）に沿って形成され、角度９０度に折り返した折り返し片１３ａ，１３ｂと、紙製面材９（９Ａ、９Ｂ）の長手方向（Ｘ方向）に交差する方向（Ｙ方向）に沿って形成され、角度９０度に折り返した折り返し片１１ａ，１１ｂ、さらに、紙製面材９Ａ、９Ｂの長手方向（Ｘ方向）に交差する方向（Ｙ方向）に沿って形成され、角度９０度に折り返した折り返し片１１ｃ，１１ｄのそれぞれを上下で相互に衝合し、当接して行うようにする。紙製面材９Ａ、９Ｂの折り返し片１１ａ，１１ｂ，１１ｃ，１１ｄと、紙製片材１０の折り返し片１３ａ，１３ｂとの当接部位には、それぞれ切れ込み１５が形成される。これら上下で対応する、折り返し片１１ａ，１１ｂ，１１ｃ，１１ｄの切れ込み１５と、折り返し片１３ａ，１３ｂの切れ込み１５同士は、相互に咬合するようにされ、これにより紙製面材９Ａ、９Ｂと３つの紙製片材１０が連結し、図１に示すように全体直方体からなる立体形状の上下部緩衝体８が組み立てられることとなる。
【００２６】
こうして組み立てられ、構成される一対の側部緩衝体６、一対の側部緩衝体７、さらに上下２つの上下部緩衝体８のそれぞれにより、例えば図１に示す平面扁平な梱包収容物５を梱包箱１内に梱包する場合、先ず箱本体２の上面の開口部３を開けた状態で箱本体２の４つの各側面部２Ａ〜２Ｄの内側面に、それぞれ対応する側部緩衝体６，７を当接し、収容する。次に周囲に側部緩衝体６，７を配設してなる箱本体２の内底部に、図１に示すように上下部緩衝体８を紙製面材９が上方になるようにして収容し、配設する。そしてその上部に梱包収容物５を載置するようにして収容し、さらにその上部に上下部緩衝体８を紙製面材９が下方になるようにして収容し、配設する（図２参照）。
【００２７】
このようにして梱包収容物５は、箱本体２の内部において、４つの各側面部２Ａ〜２Ｄの内側面に当接するようにして配設される側部緩衝体６，７により周囲より囲繞するように位置決めすることが可能となる。また箱本体２の内部に収容される梱包収容物５は、その上方および下方に配設される全体紙製からなる平面方形状の面材からなる上下部緩衝体８の間に位置決めすることが可能となり、上下並びに側周部をそれぞれの緩衝体６，７，８に包まれるように梱包することが可能となる。こうして箱本体２内に梱包収容物５が収容された状態において、さらに上面の開口部３が矢印θ方向に開閉可能な蓋体４により閉塞されることとなる（図６，図７参照）。
【００２８】
各上下部緩衝体８は、箱本体２内への収容状態において紙製面材９Ａ、９Ｂの対応する側部緩衝体６と当接可能な当接辺部１２ａ，１２ｂを、紙製面材９Ａ、９Ｂと連結する紙製片材１０との連結部分よりも側部緩衝体６に向け、間隔Ｌ１だけ外方に突出されるようにして形成される（図７参照）。また紙製片材１０の側部緩衝体７と当接可能な当接辺部１４ａ，１４ｂも、紙製片材１０と連結する紙製面材９Ａ、９Ｂの連結部分よりも側部緩衝体７に向け、間隔Ｌ２だけ外方に突出されるように形成され（図６参照）、角度９０度に折り返し、相互に衝合するように当接する紙製面材９Ａ、９Ｂの折り返し片１１ａ，１１ｂ，１１ｃ，１１ｄと、紙製片材１０の折り返し片１３ａ，１３ｂの当接部位にそれぞれ切れ込み１５を形成するようにしている。
【００２９】
上記実施形態に係る梱包箱１によれば、箱本体２の内部に収容される梱包収容物５は、先ず箱本体２内において、４つの各側面部２Ａ〜２Ｄの内側面に当接するようにして配設される側部緩衝体６，７により周囲より囲繞するように位置決めすることが可能となる。さらに箱本体２の内部に収容される梱包収容物５は、その上方および下方に配設される全体紙製からなる平面方形状の面材で立体形状に組み立てられる上下部緩衝体８の間に位置決めすることが可能となり、上下並びに側周部をそれぞれの緩衝体６，７，８に包まれるように梱包することが可能となる。
【００３０】
ここで各上下部緩衝体８は、梱包収容物５に対して上方または下方において接し、一対の側辺部に、接する梱包収容物５と反対方向に角度９０度で折り返した折り返し片１１ａ，１１ｂ，１１ｃ，１１ｄを備えることとし、折り返し片１１ａ，１１ｂ，１１ｃ，１１ｄが形成された部分と異なる他の一対の側辺部をそれぞれ箱本体２内に配設される上記側部緩衝体６と当接可能な当接辺部１２ａ，１２ｂとしてなる紙製面材９（９Ａ，９Ｂ）と、上記紙製面材９（９Ａ，９Ｂ）に対し、梱包収容物５と接する面部と反対側の面部において紙製面材９（９Ａ，９Ｂ）の各折り返し片１１ａ，１１ｂ，１１ｃ，１１ｄと平面９０度交差する状態に配設され、上記紙製面材９（９Ａ，９Ｂ）に対して連結される全体紙製で平面長方形状の長尺片材であり、一対の長手方向の側辺部に、連結する紙製面材９（９Ａ，９Ｂ）に向けて角度９０度で折り返した折り返し片１３ａ，１３ｂを備える全体コ字形状とし、折り返し片１３ａ，１３ｂが形成された部分と異なる他の一対の側辺部は、箱本体２内に配設される上記側部緩衝体７とそれぞれ当接可能な当接辺部１４ａ，１４ｂとしてなる複数の紙製片材１０と、を角度９０度に折り返し、相互に衝合するように当接する紙製面材９（９Ａ，９Ｂ）の折り返し片１１ａ，１１ｂ，１１ｃ，１１ｄと、紙製片材１０の折り返し片１３ａ，１３ｂの当接部位にそれぞれ切れ込み１５を形成し、該切れ込み１５同士を相互に咬合するようにして連結して立体形状に組み立てられることとなる。この結果、輸送中に上下方向の振動が梱包収容物５に加わった状態においても立体形状に組み立てられた各上下部緩衝体８により該振動や、場合によって大きな衝撃を吸収させることが可能となる。さらに梱包箱５に対して側方方向の振動が加わった状態においても、梱包収容物５をその上下位置でそれぞれ位置決めするように支持する上下部緩衝体８は、紙製面材９（９Ａ，９Ｂ）の当接辺部１２ａ，１２ｂが対応する側部緩衝体６と当接し、また紙製片材１０の当接辺部１４ａ，１４ｂが対応する側部緩衝体７と当接することとなり、この部分で振動を吸収させることが可能となる。また、万一梱包箱１が落下し、梱包箱１に外力や衝撃が加わった状態でも、同様に上下部緩衝体８が、紙製面材９（９Ａ，９Ｂ）の当接辺部１２ａ，１２ｂが対応する側部緩衝体６と当接し、また紙製片材１０の当接辺部１４ａ，１４ｂが対応する側部緩衝体７と当接することとなり、この部分で衝撃等を吸収させることが可能となるため、梱包収容物５に対する影響を極力小さくすることができる。特に紙製面材９Ａ、９Ｂの対応する側部緩衝体６と当接可能な当接辺部１２ａ，１２ｂは、紙製面材９Ａ、９Ｂと連結する紙製片材１０との連結部分よりも側部緩衝体６に向け、間隔Ｌ１だけ外方に突出されるようにして形成され（図７参照）、また紙製片材１０の側部緩衝体７と当接可能な当接辺部１４ａ，１４ｂは、紙製片材１０と連結する紙製面材９Ａ、９Ｂの連結部分よりも側部緩衝体７に向け、間隔Ｌ２だけ外方に突出されるように形成されるため（図６参照）、実際箱本体２に対して側方方向での外力が加わった場合、紙製片材１０に対してＬ１だけ突出する当接辺部１２ａ，１２ｂ、あるいは紙製面材９Ａ、９Ｂの連結部分よりもＬ２だけ突出した当接辺部１４ａ，１４ｂが衝撃等の外力を吸収することとなり、例えばその部分が対応する側部緩衝体６あるいは側部緩衝体７と当接して最も激しく外力が加わった場合、その部分が屈曲することとなる。こうして形成される梱包箱１を構成する構成材のうち、箱本体２、蓋体４、側部緩衝体６，７、上下部緩衝体８のそれぞれは、全体が軽量で、検疫の際にくん蒸等の処理が不要な紙製のものとされる。この結果、振動や落下等の外力や衝撃などから梱包収容物を守り、梱包収容物を安全に輸送、保管することを可能とする梱包箱の提供が可能となる。
【００３１】
実施形態において、梱包箱１内に収容する梱包収容物５としては、全体扁平な直方体形状の外観を備える例えば車載用リチウムイオン電池などが考えられる。リチウムイオン電池は、近年電気自動車や家庭用補助電源として普及されている。こうした電池に関しては、大きな衝撃を与えることで発火等の事故が生ずることも懸念されるため、輸送中において大きな衝撃を与えないように梱包を行う必要がある。
【００３２】
出願人らは、図６あるいは図７に示すように内部に梱包収容物５を収容し、梱包してなる梱包箱１について、落下テストおよび積載テストを実施し、その耐久性と梱包収容物５への影響を実験した。
【００３３】
先ず落下テストは、国連勧告に基づいた「危険物容器性能テスト」に準拠して実施し、高さＬが１．８ｍの位置から梱包箱１を落下し、梱包箱１を落下する落下面には４０mmt以上の鉄板をコンクリート上の底面上に敷設するようにした。ここで梱包箱１については、箱本体２の蓋体４上面部が上側となる姿勢、箱本体２の蓋体４上面部が下側となる姿勢、箱本体２の１つの側面部２Ａ〜２Ｄが下側となる各姿勢に、それぞれ落下する姿勢を順次変化させ、各構成材の損傷状態と、内部に収容される梱包収容物５に対する影響を調査する方法で行った。その結果、落下テストにおいて、梱包箱１内の梱包収容物５において特に損傷は見られず、リチウムイオン電池の動作性能についても、一切影響は見られなかった。特に箱本体２の各側面部２Ａ〜２Ｄが下側となる姿勢で梱包箱１を落下させるテストにおいては、上下部緩衝体８の紙製片材１０に対してＬ１だけ突出する当接辺部１２ａ，１２ｂ、あるいは紙製面材９Ａ、９Ｂの連結部分よりもＬ２だけ突出した当接辺部１４ａ，１４ｂが衝撃等の外力を吸収することとなり、その部分が対応する側部緩衝体６あるいは側部緩衝体７と当接して最も激しく外力が加わった場合、その部分が屈曲するだけで梱包収容物５には何ら損傷は見られなかった。
【００３４】
なお、このようにして形成される梱包箱１においては、内部に収容される梱包収容物５において、上記実施形態で示すリチウムイオン電池の他、半導体精密機器、理化学機器など、様々なものを梱包することができ、特に輸出入の際に利用する梱包箱として最適なものとされる。
【００３５】
上記実施形態においては、上下部緩衝体８の構成材としての紙製面材９を、Ｘ方向に隣接配置する全体長方形状の２枚の面材９Ａ、９Ｂの１つの側辺部同士を衝合するように連接して形成しているが、面材は１枚の大きなものとし、その場合においてＸ方向における各端部における外方に位置される各側辺部を、梱包収容物５と反対方向に角度９０度で折り返した折り返し片１１ａ，１１ｂとすればよい。また上下部緩衝体８の構成材としての紙製面材９を、Ｘ方向に隣接配置する３枚の以上の面材９Ａ〜９Ｎとし、各面材について１つの側辺部同士を衝合するように連接し、この場合においてＸ方向における各端部における最外方に位置される各側辺部を、梱包収容物５と反対方向に角度９０度で折り返した折り返し片１１ａ，１１ｂとすればよい。
【００３６】
また上記実施形態に係る梱包箱１では、箱本体２の全体を直方体形状とし、これに対応して側部緩衝体６，７や上下部緩衝体８のそれぞれについても全体直方体形状に形成しているが、箱本体２の各辺を同じ長さとなる立方体形状とし、これに対応して側部緩衝体６，７や上下部緩衝体８のそれぞれについても立方体形状に形成してもよい。
【産業上の利用可能性】
【００３７】
以上のように、本考案に係る梱包箱は、振動や落下等の外力や衝撃から梱包収容物を守り、梱包収容物を安全に輸送、保管することが可能となる。このため、上記実施形態に示すように、落下事故などの外力が加わった場合、発火等の事故が生じることが懸念されるリチウムイオン電池、振動や衝撃を嫌う高性能の半導体機器、理化学機器などの梱包を行うのに最適とされ、こうした分野に多用可能な梱包箱の提供が行えることとなる。
【符号の説明】
【００３８】
１                                                  梱包箱
２                                                  箱本体
２Ａ〜２Ｄ                                          側面部
２Ｅ                                                底面部
３                                                  開口部
４                                                  蓋体
５                                                  梱包収容物
６，７                                              側部緩衝体
６ａ，７ａ                                          面材
６ｂ，７ｂ                                          紙製積層材
８                                                  上下部緩衝体
９，９Ａ，９Ｂ                                      面材
１０                                                紙製片材
１１ａ，１１ｂ，１１ｃ，１１ｄ，１３ａ，１３ｂ      折り返し片
１２ａ，１２ｂ，１４ａ，１４ｂ                      当接辺部
１５                                                切れ込み
２０                                                 パレット
【図５】
0003171529.tif 000003
【図１】
0003171529.tif 000004
【図２】
0003171529.tif 000005
【図３】
0003171529.tif 000006
【図４】
0003171529.tif 000007
【図６】
0003171529.tif 000008
【図７】
0003171529.tif 000009